(57)【要約】【課題】搬送経路に沿って搬送される原稿の一方の面の画像を読み取る第１画像読取部と上記搬送経路に沿って搬送される上記原稿の他方の面の画像を読み取る第２画像読取部とを備えた画像読取装置において、可動部材や可変色パネルを複数設けることなく、原稿の裏写りも原稿の周囲が黒く読み取られることも少なくとも選択的に抑制可能とすること。【解決手段】第２読取デバイス２３０のレンズ２３２及び受光素子２３３が第１読取デバイス２１０の白基準板２１７と対向する第１の位置に第２読取デバイス２３０が移動したとき、第２読取デバイス２３０の白基準板２３７も第１読取デバイス２１０のレンズ２１２及び受光素子２１３と対向する（Ａ）。レンズ２３２及び受光素子２３３が黒基準板２１８と対向する第２の位置に第２読取デバイス２３０が移動したとき、黒基準板２３８はレンズ２１２及び受光素子２１３と対向する（Ｂ）。【選択図】図２
2011217050.tif 000002
【特許請求の範囲】
【請求項１】
原稿の搬送経路を挟んで対向する一方の側に、その搬送経路に沿って少なくとも第１の位置と第２の位置との間を移動可能に設けられ、上記搬送経路に沿って搬送される原稿の一方の面の画像を読み取る第１画像読取部と、
上記搬送経路を挟んで対向する他方の側に移動不能に設けられ、上記搬送経路に沿って搬送される上記原稿の他方の面の画像を読み取る第２画像読取部と、
上記搬送経路に沿った上記他方の側の位置に設けられ、上記第１画像読取部が上記第１の位置に移動したとき、その第１画像読取部と対向する白色の第１白色板と、
上記搬送経路に沿った上記他方の側の位置に設けられ、上記第１画像読取部が上記第２の位置に移動したとき、その第１画像読取部と対向する白色以外の色で着色された第１有色板と、
上記第１画像読取部と一体に上記搬送経路に沿って移動し、上記第１画像読取部が上記第１の位置に配設されたとき、上記第２画像読取部と対向する白色の第２白色板と、
上記第１画像読取部と一体に上記搬送経路に沿って移動し、上記第１画像読取部が上記第２の位置に配設されたとき、上記第２画像読取部と対向する白色以外の色で着色された第２有色板と、
を備えたことを特徴とする画像読取装置。
【請求項２】
原稿の画像を読み取る際に裏写りを防止する裏写り防止モードを設定可能なモード設定部と、
上記モード設定部により上記裏写り防止モードが設定されたとき、上記第１画像読取部を上記第２の位置に移動させる読取駆動部と、
を更に備えたことを特徴とする請求項１記載の画像読取装置。
【請求項３】
上記読取駆動部は、上記モード設定部により上記裏写り防止モードが設定されていないときは、上記第１画像読取部を上記第１の位置に移動させることを特徴とする請求項２記載の画像読取装置。
【請求項４】
原稿が載置される透明な原稿台を、
更に備え、
上記読取駆動部は、上記第１画像読取部を、上記原稿台に沿って副走査方向に移動させる動作も実行可能なことを特徴とする請求項２または３記載の画像読取装置。
【発明の詳細な説明】
【技術分野】
【０００１】
本発明は、原稿の画像を読み取る画像読取装置に関し、詳しくは、搬送経路に沿って搬送される原稿の一方の面の画像を読み取る第１画像読取部と、上記搬送経路に沿って搬送される上記原稿の他方の面の画像を読み取る第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。
【０００３】
また、このように原稿を搬送しながらその画像を読み取る装置では、原稿の一方の面のみを第１画像読取部を介して読み取る装置として、次のように裏写りを抑制することが提案されている。すなわち、上記第１画像読取部によって画像を読み取られる原稿の背面に白面部及び黒面部を有する可動部材、若しくは可変色パネルを配置し、原稿が薄紙であって裏写りを抑制したいときは原稿の背面に黒面部を配置するなどして裏写りを抑制するというものである。また、この装置では、原稿が不定形サイズの場合は原稿の背面に白面部を配置するなどして原稿周囲が黒く読み取られるのを抑制することができるとされている（例えば、特許文献１参照）。
【先行技術文献】
【特許文献】
【０００４】
【特許文献１】特開２００１−２１８０１８号公報
【発明の概要】
【発明が解決しようとする課題】
【０００５】
ところが、特許文献１記載の技術を前述のように２つの画像読取部を備えた画像読取装置に適用した場合、可動部材若しくは可変色パネルを各画像読取部に対して個々に設ける必要が生じ、装置の製造コストが上昇してしまう。そこで、本発明は、搬送経路に沿って搬送される原稿の一方の面の画像を読み取る第１画像読取部と、上記搬送経路に沿って搬送される上記原稿の他方の面の画像を読み取る第２画像読取部とを備えた画像読取装置において、可動部材や可変色パネルを複数設けることなく、原稿の裏写りも原稿の周囲が黒く読み取られることも少なくとも選択的に抑制可能とすることを目的としてなされた。
【課題を解決するための手段】
【０００６】
上記目的を達するためになされた本発明の画像読取装置は、原稿の搬送経路を挟んで対向する一方の側に、その搬送経路に沿って少なくとも第１の位置と第２の位置との間を移動可能に設けられ、上記搬送経路に沿って搬送される原稿の一方の面の画像を読み取る第１画像読取部と、上記搬送経路を挟んで対向する他方の側に移動不能に設けられ、上記搬送経路に沿って搬送される上記原稿の他方の面の画像を読み取る第２画像読取部と、上記搬送経路に沿った上記他方の側の位置に設けられ、上記第１画像読取部が上記第１の位置に移動したとき、その第１画像読取部と対向する白色の第１白色板と、上記搬送経路に沿った上記他方の側の位置に設けられ、上記第１画像読取部が上記第２の位置に移動したとき、その第１画像読取部と対向する白色以外の色で着色された第１有色板と、上記第１画像読取部と一体に上記搬送経路に沿って移動し、上記第１画像読取部が上記第１の位置に
配設されたとき、上記第２画像読取部と対向する白色の第２白色板と、上記第１画像読取部と一体に上記搬送経路に沿って移動し、上記第１画像読取部が上記第２の位置に配設されたとき、上記第２画像読取部と対向する白色以外の色で着色された第２有色板と、を備えたことを特徴としている。
【０００７】
このように構成された本発明の画像読取装置では、原稿の搬送経路に沿って少なくとも第１の位置と第２の位置との間を移動可能に設けられた第１画像読取部は、上記搬送経路に沿って搬送される原稿の一方の面の画像を読み取る。また、上記搬送経路を挟んで上記第１画像読取部と対向する他方の側に移動不能に設けられた第２画像読取部は、上記搬送経路に沿って搬送される上記原稿の他方の面の画像を読み取る。従って、本発明の画像読取装置では、原稿の表裏両面の画像を同時に読み取ることができる。
【０００８】
ここで、上記第１画像読取部が上記第１の位置に移動したとき、上記搬送経路に沿った上記他方の側の位置に設けられた第１白色板は、上記第１画像読取部と対向する。また、そのとき、上記第１画像読取部と一体に上記搬送経路に沿って移動する第２白色板は、上記第２画像読取部と対向する。
【０００９】
一方、上記第１画像読取部が上記第２の位置に移動したとき、上記搬送経路に沿った上記他方の側の位置に設けられた第１有色板は、上記第１画像読取部と対向する。また、そのとき、上記第１画像読取部と一体に上記搬送経路に沿って移動する第２有色板は、上記第２画像読取部と対向する。
【００１０】
なお、第１白色板，第２白色板は白色で、第１有色板，第２有色板は白以外の色で着色されている。このため、上記第１画像読取部を上記第１の位置に移動させれば、原稿の表裏両面の画像を読み取る際に原稿の周囲が黒く読み取られることが抑制することができ、上記第１画像読取部を上記第２の位置に移動させれば、原稿の裏写りを抑制することができる。しかも、本発明では、上記第２白色板及び上記第２有色板を上記第１画像読取部と一体に移動させているので、可動部材等を複数設けることなく、上記のように原稿の裏写りも原稿の周囲が黒く読み取られることも少なくとも選択的に抑制することができる。
【００１１】
なお、本発明において、原稿の画像を読み取る際に裏写りを防止する裏写り防止モードを設定可能なモード設定部と、上記モード設定部により上記裏写り防止モードが設定されたとき、上記第１画像読取部を上記第２の位置に移動させる読取駆動部と、を更に備えてもよい。この場合、原稿の画像を読み取る際に裏写りを防止する裏写り防止モードがモード設定部によって設定されると、読取駆動部は、上記第１画像読取部を上記第２の位置に移動させる。従って、一層簡単な操作によって原稿の裏写りを良好に抑制することができる。
【００１２】
また、その場合、上記読取駆動部は、上記モード設定部により上記裏写り防止モードが設定されていないときは、上記第１画像読取部を上記第１の位置に移動させてもよい。その場合、上記モード設定部により上記裏写り防止モードが設定されていないときは、上記読取駆動部が上記第１画像読取部を上記第１の位置に移動させることにより、原稿の周囲が黒く読み取られることを良好に抑制することができる。
【００１３】
また、このように上記読取駆動部を備えた場合において、原稿が載置される透明な原稿台を、更に備え、上記読取駆動部は、上記第１画像読取部を、上記原稿台に沿って副走査方向に移動させる動作も実行可能であってもよい。原稿が載置される透明な原稿台に沿って副走査方向に上記第１画像読取部を移動させる、いわゆるフラットベッド（ＦＢ）読取が可能な画像読取装置では、上記第１画像読取部を上記搬送経路に沿って移動させる手段を備えている場合が多い。従って、その手段を上記読取駆動部として利用した場合、本発
明の画像読取装置を一層容易に構成することができる。
【図面の簡単な説明】
【００１４】
【図１】本発明が適用された画像読取装置の構成を模式的に表す断面図である。
【図２】その画像読取装置の読取デバイス近傍の構成を模式的に表す断面図である。
【図３】その画像読取装置の制御系の構成を表すブロック図である。
【図４】その制御系における読取処理を表すフローチャートである。
【図５】その読取処理におけるモード選択処理を表すフローチャートである。
【図６】上記読取デバイス近傍の構成の変形例を模式的に表す断面図である。
【発明を実施するための形態】
【００１５】
［画像読取装置の全体の構成］
次に、本発明の実施の形態を図面と共に説明する。図１は、本発明が適用された画像読取装置１０の構成を模式的に表す断面図である。なお、この画像読取装置１０は、図示省略した画像形成部を内蔵する複合機の基体２０の上部に設けられ、その基体２０の上面には原稿カバー３０が開閉可能に設けられている。
【００１６】
図１に示すように、基体２０の上端面には、画像読取装置１０がフラットベットスキャナとして使用される場合に原稿Ｐ（図２参照）が載置されるガラス製の透明な原稿台２１が設けられている。そして、原稿カバー３０は、原稿台２１の表面に閉じられることによってその原稿台２１に載置された原稿Ｐを覆うように開閉自在に取り付けられている。
【００１７】
また、この原稿カバー３０は、ＡＤＦ（Automatic Document Feeder）を備える原稿カバーとして構成され、給紙トレイ１１０に載置された原稿Ｐを搬送経路に沿って搬送しＡＤＦとして機能する搬送部１００と、搬送経路を搬送される原稿Ｐの表面と裏面とについて並行して画像読み取りを行うことが可能な第１読取デバイス２１０，第２読取デバイス２３０のうちの第１読取デバイス２１０とを備えている。なお、第２読取デバイス２３０は基体２０に設けられている。
【００１８】
搬送部１００は、給紙トレイ１１０に載置された原稿Ｐを、搬送経路（図１の点線）に沿って排紙トレイ１３０まで搬送する搬送ローラ１２１〜１２９を備えている。また、この搬送経路の基体２０上部を通る位置（読取位置）には、原稿Ｐの裏面（他方の面に相当）の画像読み取りを行うための第１読取デバイス２１０（第２画像読取部の一例）が原稿カバー３０の側に、原稿Ｐの表面（一方の面に相当）の画像読み取りのための第２読取デバイス２３０（第１画像読取部の一例）が基体２０の側に、互いに対向して設けられている。
【００１９】
更に、この搬送経路上には、給紙トレイ１１０に載置された原稿Ｐの有無を検知するための原稿検知センサ３１０が設けられている。また、第２読取デバイス２３０は、モータ３５１（読取駆動部の一例）によって回転駆動される駆動プーリ３５３と従動プーリ３５５との間に架設された無端ベルト３５７に固定されており、モータ３５１の回転に応じて原稿台２１の下方を副走査方向（左右方向）に移動可能である。
【００２０】
［読取デバイスの詳細な構成］
図２は、画像読取装置１０の読取デバイス近傍の構成を拡大して模式的に表す断面図である。図２（Ａ），（Ｂ）に示すように、第１読取デバイス２１０は、光源２１１と、その光源２１１から照射されて原稿Ｐに反射された光を集光するレンズ２１２と、そのレンズ２１２によって集光された光を検出するために受光素子２１３とを備えている。なお、光源２１１は、主走査方向（前後方向）に伸びる導光部材とその導光部材の内部に光を照射するＬＥＤランプとを備え、原稿Ｐに向けてライン状に光を照射する。また、レンズ２
１２と受光素子２１３とは、主走査方向に沿って１列に配置されている。第２読取デバイス２３０も、同様の光源２３１とレンズ２３２と受光素子２３３とを備えている。
【００２１】
また、第１読取デバイス２１０，第２読取デバイス２３０は、次のような白基準板２１７，２３７と黒基準板２１８，２３８とを備えている。表面が白色に着色された白基準板２１７（第１白色板の一例）は、第１読取デバイス２１０の原稿Ｐを挟んで第２読取デバイス２３０と対向する面の、レンズ２１２よりも原稿Ｐの搬送方向上流側（以下、単に上流側という：下流側も同様）に設けられている。第２読取デバイス２３０の白基準板２３７（第２白色板の一例）は、その第２読取デバイス２３０の原稿Ｐを挟んで第１読取デバイス２１０と対向する面の、レンズ２３２よりも下流側に設けられている。そして、図２（Ａ）に示すように、レンズ２３２及び受光素子２３３が白基準板２１７と対向する第１の位置に第２読取デバイス２３０が移動したとき、白基準板２３７はレンズ２１２及び受光素子２１３と対向する。
【００２２】
表面が黒色に着色された黒基準板２１８（第１有色板の一例）は、第１読取デバイス２１０の原稿Ｐを挟んで第２読取デバイス２３０と対向する面の、レンズ２１２よりも下流側に設けられている。第２読取デバイス２３０の黒基準板２３８（第２有色板の一例）は、その第２読取デバイス２３０の原稿Ｐを挟んで第１読取デバイス２１０と対向する面の、レンズ２３２よりも上流側に設けられている。そして、図２（Ｂ）に示すように、レンズ２３２及び受光素子２３３が黒基準板２１８と対向する第２の位置に第２読取デバイス２３０が移動したとき、黒基準板２３８はレンズ２１２及び受光素子２１３と対向する。
【００２３】
このため、第２読取デバイス２３０を第１の位置に移動させれば、第１読取デバイス２１０，第２読取デバイス２３０に読み取られる原稿Ｐの背後に白基準板２３７，２１７が配設され、小さいサイズの原稿Ｐの周囲が黒く読み取られるのを抑制することができる。また、第２読取デバイス２３０を第２の位置に移動させれば、第１読取デバイス２１０，第２読取デバイス２３０に読み取られる原稿Ｐの背後に黒基準板２３８，２１８が配設され、原稿Ｐの裏写りを抑制することができる。なお、第１の位置または第２の位置に第２読取デバイス２３０が配設された場合、第１読取デバイス２１０，第２読取デバイス２３０は、互いに他方の原稿押えとしても機能する。
【００２４】
［画像読取装置の制御系の構成］
次に、図３は、画像読取装置１０の制御系の構成を表すブロック図である。図３に示すように、画像読取装置１０の制御系はＡＳＩＣ４００を中心に構成され、そのＡＳＩＣ４００には、ＣＰＵ４０３，ＲＯＭ４０５，ＲＡＭ４０７，及びＮＶＲＡＭ４０９が接続されている。
【００２５】
ＡＳＩＣ４００は、ＣＰＵ４０３からの指令に基づき、第１読取デバイス２１０，第２読取デバイス２３０にクロック信号ＣＬＫ，ラインスタートパルス信号ＳＰ等の信号を入力すると共に、ＬＥＤ回路４１１，４３１を介して前述の光源２１１，２３１を制御する。また、受光素子２１３，２３３が出力するアナログの読取信号は、ＡＦＥ（アナログフロントエンド）４１３，４３３にてデジタル信号に変換された後、ＡＳＩＣ４００に入力される。更に、ＡＳＩＣ４００は、駆動回路４５１を介して、前述の搬送ローラ１２１〜１２９（図１参照）を駆動するモータ４５３を制御し、駆動回路４６１を介して前述のモータ３５１を制御し、筐体表面に設けられた操作パネル４７０（モード設定部の一例）や前述の原稿検知センサ３１０（図１参照）からの信号も入力されている。
【００２６】
［制御系における処理］
次に、上記制御系において、ＣＰＵ４０３がＲＯＭ４０５に記憶されたプログラムに基づいて実行する処理を説明する。図４は、原稿画像の読取が指示された際にＣＰＵ１００
が実行する読取処理を表すフローチャートである。図４に示すように、この処理では、先ず、モード設定部の一例としてのＳ１（Ｓはステップを表す：以下同様）にて、操作パネル４７０の操作状態や前述の原稿検知センサ３１０の検出信号に基づいて、読取モードの設定がなされる。なお、Ｓ１では、薄紙の原稿Ｐを読み取る場合などに裏写りを除去するための裏写り除去モード（裏写り防止モードの一例）の設定も、使用者の所望に応じてなされる。
【００２７】
続くＳ３では、その読取モードが両面モードであるか否かが判断され、両面モードでない場合は（Ｓ３：Ｎ）、Ｓ５にて原稿台読取であるか否かが判断される。Ｓ１にて設定された読取モードが原稿台読み取りの場合は（Ｓ５：Ｙ）、処理はＳ７へ移行し、駆動回路４６１を介してモータ３５１が駆動されることにより、第２読取デバイス２３０の原稿台２１に沿った副走査方向への移動が開始される。続くＳ９では、その移動中に第２読取デバイス２３０による片面読取処理が実行され、その第２読取デバイス２３０が原稿台２１の端まで移動してその片面読取処理が終了すると、本処理が一旦終了する。
【００２８】
一方、Ｓ５にて原稿台読取でないと判断された場合は（Ｓ５：Ｎ）、処理はＳ１０へ移行し、次のようなモード選択処理が実行される。図５は、そのモード選択処理を詳細に表すフローチャートである。図５に示すように、この処理では、先ずＳ１１にて、前述のＳ１にて裏写り除去モードが設定されているか否かが判断される。裏写り除去モードが設定されている場合は（Ｓ１１：Ｙ）、処理はＳ１２へ移行し、第２読取デバイス２３０が第１読取デバイス２１０の黒基準板２１８と対向する読取位置（すなわち前述の第２の位置）に移動されて、処理は続くＳ２０（図４参照）へ移行する。一方、Ｓ１１にて裏写り除去モードが設定されていないと判断された場合は（Ｓ１１：Ｎ）、処理はＳ１３へ移行し、第２読取デバイス２３０が第１読取デバイス２１０の白基準板２１７と対向する読取位置（すなわち前述の第１の位置）に移動されて、処理はＳ２０へ移行する。
【００２９】
図４に戻って、Ｓ２０では、駆動回路４５１を介してモータ４５３が駆動されることにより、読み取るべき原稿Ｐの搬送が開始され、処理は前述のＳ９へ移行する。すると、第１の位置または第２の位置に固定的に配設された第２読取デバイス２３０を介して原稿Ｐの片面読取処理が実行され、原稿Ｐの搬送が完了してその片面読取処理が終了すると、本処理が一旦終了する。
【００３０】
また、Ｓ１にて設定された読取モードが両面モードであるとＳ３にて判断された場合は（Ｓ３：Ｙ）、処理はＳ３０へ移行し、前述のＳ１０と同様のモード選択処理が実行される。続くＳ４０では、読み取るべき原稿Ｐを搬送しながら、第１の位置または第２の位置に固定的に配設された第２読取デバイス２３０と第１読取デバイス２１０とを介して原稿Ｐの両面読取処理が実行され、原稿Ｐの搬送が完了してその両面読取処理が終了すると、本処理が一旦終了する。
【００３１】
［実施の形態の効果及び変形例］
このように、本実施の形態の画像読取装置１０では、裏写り除去モードが設定されている場合は（Ｓ１１：Ｙ）、第２読取デバイス２３０を第２の位置に移動させて原稿Ｐの裏写りを抑制することができ、裏写り除去モードが設定されていない場合は（Ｓ１１：Ｎ）、第２読取デバイス２３０を第１の位置に移動させて小さいサイズの原稿Ｐの周囲が黒く読み取られるのを抑制することができる。しかも、そのような動作を可能にするための構成も、第１読取デバイス２１０，第２読取デバイス２３０に白基準板２１７，２３７と黒基準板２１８，２３８とを設け、原稿台読取用のモータ３５１を利用して第２読取デバイス２３０を第１の位置または第２の位置へ移動させることで実現できる。
【００３２】
このため、本実施の形態では、可動部材を複数設けることなく、原稿Ｐの裏写りも原稿
Ｐの周囲が黒く読み取られることも少なくとも選択的に抑制することができる。しかも、本実施の形態の画像読取装置１０は、既存のモータ３５１を利用して極めて容易に構成することができる。
【００３３】
なお、本発明は上記実施の形態に何等限定されるものではなく、本発明の要旨を逸脱しない範囲で種々の形態で実施することができる。例えば、白基準板２１７，２３７と黒基準板２１８，２３８との配置は種々に変更することができる。図６は、第１読取デバイス２１０の白基準板２１７と黒基準板２１８とを、レンズ２１２の下流側に順次配設し、第２読取デバイス２３０の白基準板２３７と黒基準板２３８とを、レンズ２３２の上流側に順次配設した例を表している。
【００３４】
この場合も、レンズ２３２及び受光素子２３３が白基準板２１７と対向する第１の位置に第２読取デバイス２３０が移動したときは、図６（Ａ）に示すように白基準板２３７はレンズ２１２及び受光素子２１３と対向し、レンズ２３２及び受光素子２３３が黒基準板２１８と対向する第２の位置に第２読取デバイス２３０が移動したときは、図６（Ｂ）に示すように黒基準板２３８はレンズ２１２及び受光素子２１３と対向する。従って、この場合も、前述の実施の形態と同様の効果が生じる。また、この例では、前述の実施の形態に比べて、第１の位置と第２の位置との間で第２読取デバイス２３０を移動させる際の移動距離が少なくて済むといった効果も生じる。
【００３５】
更に、本発明の第１有色板，第２有色板は、例えばグレーなど、他の色に着色されていてもよく、原稿Ｐの背後の明度が少しでも低下すればある程度の裏写り抑制効果は生じる。また、本発明は、モータ３５１による第２読取デバイス２３０の移動を行わないＡＤＦ読取専用の画像読取装置にも適用することができる。その場合、モータ３５１を設ける代わりに、第１読取デバイス２１０または第２読取デバイス２３０のいずれか一方を原稿Ｐの搬送方向に沿って手動で動かせるようにしてもよい。また更に、白基準板２１７，黒基準板２１８は、第１読取デバイス２１０と別体に構成されてもよい。
【符号の説明】
【００３６】
１０…画像読取装置                  ２０…基体
２１…原稿台                        ３０…原稿カバー
１００…搬送部                      ２１０…第１読取デバイス
２１１，２３１…光源                ２１２，２３２…レンズ
２１３，２３３…受光素子            ２１７，２３７…白基準板
２１８，２３８…黒基準板            ２３０…第２読取デバイス
３１０…原稿検知センサ              ３５１，４５３…モータ
４００…ＡＳＩＣ                    ４０３…ＣＰＵ
４０５…ＲＯＭ                      ４０７…ＲＡＭ
４７０…操作パネル                  Ｐ…原稿
【図１】
2011217050.tif 000003
【図２】
2011217050.tif 000004
【図３】
2011217050.tif 000005
【図４】
2011217050.tif 000006
【図５】
2011217050.tif 000007
【図６】
2011217050.tif 000008